(57)【要約】【課題】紙幣搬送装置に紙幣搬送用の搬送ベルトを手際よく設置することを可能にする搬送ベルト設置治具、および、この搬送ベルト設置治具を用いた搬送ベルトの設置方法を提供すること。【解決手段】搬送ベルト設置治具７９は、紙幣搬送装置７の搬送レール２０に取り付け可能で搬送レール２０の長さ方向（所定方向Ｘ）に一定長さを有する本体８０と、本体８０に設けられる第１挟持部８１、第２挟持部８２および第３挟持部８３とを含んでいる。第１挟持部８１は、無端状に連結される前の搬送ベルト２２の一端側２２Ｃを挟持する。第２挟持部８２は、搬送ベルト２２の他端側２２Ｄを挟持し、所定方向Ｘに移動可能である。第３挟持部８３は、第１挟持部８１に対して積層的に設けられていて、第１挟持部８１で挟持された一端側２２Ｃに対して長さ方向に重なるように他端側２２Ｄを挟持する。【選択図】図１１Ａ
2012252598.tif 000002
【特許請求の範囲】
【請求項１】
紙幣搬送装置に紙幣搬送用の搬送ベルトを設置する際に用いる搬送ベルト設置治具であって、
紙幣搬送装置に備えられたベルト案内用の搬送レールに対して取り付け可能で、前記搬送レールの長さ方向に一定長さを有する本体と、
前記本体の前記一定長さ方向の一端側に設けられ、前記搬送レールに沿って配置される無端状に連結される前の搬送ベルトの一端側を挟持するための第１挟持部と、
前記本体に設けられ、前記一定長さ方向に移動可能で、前記搬送レールに沿って配置される前記搬送ベルトの他端側を挟持するための第２挟持部と、
前記第１挟持部に対して積層的に設けられ、前記第１挟持部で挟持された前記搬送ベルトの一端側に対して長さ方向に重なるように前記搬送ベルトの他端側を挟持するための第３挟持部と、
を含むことを特徴とする、搬送ベルト設置治具。
【請求項２】
前記搬送レールに取り付けられた前記本体が前記搬送レールの長さ方向にずれないように、前記本体を前記搬送レールに一時的に固定するための固定手段を含むことを特徴とする、請求項１記載の搬送ベルト設置治具。
【請求項３】
前記第２挟持部は、
前記本体に設けられ、前記一定長さ方向に前記本体の一端から他端へと延びるスライドガイドレールと、
前記スライドガイドレールに係合され、前記一定長さ方向に任意の位置へスライド移動可能で、移動した位置で停止する挟持部を有するスライドブロックと、
を含むことを特徴とする、請求項１または２記載の搬送ベルト設置治具。
【請求項４】
前記スライドガイドレールは、軸線回りに回転可能に設けられたねじ軸と、前記本体に固定されたガイドレールとを含み、
前記スライドブロックは、前記ねじ軸が螺合して貫通するねじ孔と、前記ガイドレールと係合する被案内部とを含むことを特徴とする、請求項３記載の搬送ベルト設置治具。
【請求項５】
請求項１〜４のいずれかに記載の搬送ベルト設置治具を用いた搬送ベルトの設置方法であって、
無端状に連結される前の搬送ベルトの一端側を前記第１挟持部に挟持させる第１の工程と、
前記搬送ベルトの他端側を前記第２挟持部に挟持させる第２の工程と、
前記第２挟持部を前記第３挟持部へ接近させて前記搬送ベルトを伸張させる第３の工程と、
前記搬送ベルトの他端側を、前記第３挟持部に挟持させる第４の工程と、
前記第２挟持部による前記搬送ベルトの他端側の挟持を解除して、前記第２挟持部を前記第３挟持部から離間する方向へ移動させる第５の工程と、
前記第３挟持部から離間した位置にある前記第２挟持部に、当該位置に張設されている搬送ベルトを挟持させる第６の工程と、
前記搬送ベルトに所定のテンションがかかるまで、前記第３〜第６の工程を繰り返す工程と、
前記搬送ベルトに所定のテンションがかかってから、前記搬送ベルトの一端と他端とを接合する接合工程と、
を含むことを特徴とする、搬送ベルトの設置方法。
【請求項６】
前記第１の工程の前に、紙幣搬送装置を位置決めし、前記紙幣搬送装置の搬送レールに前記搬送ベルト設置治具を取り付ける工程と、
前記接合工程の後、前記紙幣搬送装置から前記搬送ベルト設置治具を取り外す工程と、
を含むことを特徴とする、請求項５記載の搬送ベルトの設置方法。
【発明の詳細な説明】
【技術分野】
【０００１】
この発明は、紙幣搬送装置に紙幣搬送用の搬送ベルトを設置する際に用いる搬送ベルト設置治具、および、この搬送ベルト設置治具を用いた搬送ベルトの設置方法に関する。
【背景技術】
【０００２】
パチンコ店等の遊技店には、複数の遊技台を並べて配置することで構成された遊技島が存在し、遊技島における遊技台の背面側の空間には、紙幣搬送装置が設けられている。紙幣搬送装置は、遊技台で遊技をするために入金された紙幣を、紙幣の回収庫まで搬送する。
紙幣搬送装置の一例として、下記特許文献１では、搬送装置が、複数の遊技台の並び方向における遊技島の両端に設けられた１対のプーリと、これらのプーリに巻き掛けられた１本のエンドレス（無端状）の丸ベルトと、丸ベルトを挟持する押えプーリの対とを含んでいる。丸ベルトは、横から見て環状をなす軌跡で周回する。遊技島において各遊技台の左隣または右隣には、紙幣識別機が設けられている。紙幣識別機に入金された紙幣は、搬送装置において、周回移動する丸ベルトと押えプーリとに挟持された状態で、遊技島の端の料金収納箱まで搬送される。
【先行技術文献】
【特許文献】
【０００３】
【特許文献１】特許第２７５３５６７号公報
【発明の概要】
【発明が解決しようとする課題】
【０００４】
特許文献１の搬送装置の丸ベルトは、遊技島の両端を結ぶように設けられているから、数ｍ〜数十ｍの全長を有していて、比較的長い。搬送装置を完成させる際において、このような長いベルトを設置する場合には、既製品の状態で無端状のベルトを準備するのではなく、無端状になる前のベルトを遊技店に持ち込んで、その場で、ベルトにテンションをかけつつ、ベルトの両端を接合してベルトを無端状にすることが考えられる。この場合、手際よくベルトを設置することを可能にする治具が望まれる。
【０００５】
この発明は、かかる背景のもとでなされたもので、紙幣搬送装置に紙幣搬送用の搬送ベルトを手際よく設置することを可能にする搬送ベルト設置治具、および、この搬送ベルト設置治具を用いた搬送ベルトの設置方法を提供することを目的とする。
【課題を解決するための手段】
【０００６】
請求項１記載の発明は、紙幣搬送装置に紙幣搬送用の搬送ベルトを設置する際に用いる搬送ベルト設置治具であって、紙幣搬送装置に備えられたベルト案内用の搬送レールに対して取り付け可能で、前記搬送レールの長さ方向に一定長さを有する本体と、前記本体の前記一定長さ方向の一端側に設けられ、前記搬送レールに沿って配置される無端状に連結される前の搬送ベルトの一端側を挟持するための第１挟持部と、前記本体に設けられ、前記一定長さ方向に移動可能で、前記搬送レールに沿って配置される前記搬送ベルトの他端側を挟持するための第２挟持部と、前記第１挟持部に対して積層的に設けられ、前記第１挟持部で挟持された前記搬送ベルトの一端側に対して長さ方向に重なるように前記搬送ベルトの他端側を挟持するための第３挟持部と、を含むことを特徴とする、搬送ベルト設置治具である。
【０００７】
請求項２記載の発明は、前記搬送レールに取り付けられた前記本体が前記搬送レールの長さ方向にずれないように、前記本体を前記搬送レールに一時的に固定するための固定手段を含むことを特徴とする、請求項１記載の搬送ベルト設置治具である。
請求項３記載の発明は、前記第２挟持部は、前記本体に設けられ、前記一定長さ方向に前記本体の一端から他端へと延びるスライドガイドレールと、前記スライドガイドレールに係合され、前記一定長さ方向に任意の位置へスライド移動可能で、移動した位置で停止する挟持部を有するスライドブロックと、を含むことを特徴とする、請求項１または２記載の搬送ベルト設置治具である。
【０００８】
請求項４記載の発明は、前記スライドガイドレールは、軸線回りに回転可能に設けられたねじ軸と、前記本体に固定されたガイドレールとを含み、前記スライドブロックは、前記ねじ軸が螺合して貫通するねじ孔と、前記ガイドレールと係合する被案内部とを含むことを特徴とする、請求項３記載の搬送ベルト設置治具である。
請求項５記載の発明は、請求項１〜４のいずれかに記載の搬送ベルト設置治具を用いた搬送ベルトの設置方法であって、無端状に連結される前の搬送ベルトの一端側を前記第１挟持部に挟持させる第１の工程と、前記搬送ベルトの他端側を前記第２挟持部に挟持させる第２の工程と、前記第２挟持部を前記第３挟持部へ接近させて前記搬送ベルトを伸張させる第３の工程と、前記搬送ベルトの他端側を、前記第３挟持部に挟持させる第４の工程と、前記第２挟持部による前記搬送ベルトの他端側の挟持を解除して、前記第２挟持部を前記第３挟持部から離間する方向へ移動させる第５の工程と、前記第３挟持部から離間した位置にある前記第２挟持部に、当該位置に張設されている搬送ベルトを挟持させる第６の工程と、前記搬送ベルトに所定のテンションがかかるまで、前記第３〜第６の工程を繰り返す工程と、前記搬送ベルトに所定のテンションがかかってから、前記搬送ベルトの一端と他端とを接合する接合工程と、を含むことを特徴とする、搬送ベルトの設置方法である。
【０００９】
請求項６記載の発明は、前記第１の工程の前に、紙幣搬送装置を位置決めし、前記紙幣搬送装置の搬送レールに前記搬送ベルト設置治具を取り付ける工程と、前記接合工程の後、前記紙幣搬送装置から前記搬送ベルト設置治具を取り外す工程と、を含むことを特徴とする、請求項５記載の搬送ベルトの設置方法である。
【発明の効果】
【００１０】
請求項１記載の発明によれば、搬送ベルト設置治具は、その本体の一定長さ方向（搬送ベルトの長さ方向でもある）の一端側に固定された第１挟持部と、当該一定長さ方向に移動可能な第２挟持部と、搬送ベルトにおける伸び代部分を仮留めするための第３挟持部とを含んでいる。
この場合、請求項５および６記載の発明のように、位置決めした紙幣搬送装置の搬送レールに搬送ベルト設置治具を取り付けてから、無端状に連結される前の搬送ベルトの一端側を第１挟持部に挟持させ（第１の工程）、搬送ベルトの他端側を第２挟持部に挟持させる（第２の工程）。
【００１１】
そして、第２挟持部を第３挟持部へ接近させることで搬送ベルトを伸張させる第３の工程の後、搬送ベルトの他端側（伸び代部分）を、第３挟持部に挟持させる（第４の工程）。次いで、第２挟持部による搬送ベルトの他端側の挟持を解除して、第２挟持部を第３挟持部から離間する方向へ移動させてから（第５の工程）、第３挟持部から離間した位置にある第２挟持部に、当該位置に張設されている搬送ベルトを挟持させる（第６の工程）。
【００１２】
その後、搬送ベルトに所定のテンションがかかるまで第３〜第６の工程を繰り返してから、搬送ベルトの一端と他端とを接合し、紙幣搬送装置から搬送ベルト設置治具を取り外せば、搬送ベルトの設置が完了する。
つまり、搬送ベルトにおいて所定のテンションがかかるまでの伸び代が大きくても、この搬送ベルト設置治具を用いれば、第３〜第６の工程を繰り返すことによって、容易かつ円滑に、搬送ベルトに所定のテンションをかけるとともに、搬送ベルトの一端と他端とを接合することで搬送ベルトを無端状に連結して紙幣搬送装置に組み込むことができる。よって、搬送ベルトを手際よく設置することが可能になる。
【００１３】
請求項２記載の発明によれば、固定手段によって本体が搬送レールに一時的に固定されるので、搬送ベルトの設置中に搬送ベルト設置治具の位置が不意にずれることを防止できる。
請求項３記載の発明によれば、第２挟持部では、スライドガイドレールに係合されたスライドブロックを、前記一定長さ方向における任意の位置へスライド移動させて所定の位置で停止させるといった簡単な作業によって、スライドブロックの挟持部に挟持された搬送ベルトを伸張させることができる。
【００１４】
請求項４記載の発明によれば、スライドガイドレールのねじ軸が回転することによって、スライドブロックがスライド移動でき、その際、スライドブロックの被案内部がスライドガイドレールのガイドレールと係合しているので、スライドブロックがねじ軸と共回りすることを防止できる。
【図面の簡単な説明】
【００１５】
【図１】図１は、遊技店における１つの遊技島Ａの模式的な平断面図である。
【図２】図２は、紙幣搬送装置７の模式的な斜視図である。
【図３】図３は、紙幣搬送装置７の要部の模式的な分解斜視図である。
【図４Ａ】図４Ａは、調整ユニット２４の模式的な側面図である。
【図４Ｂ】図４Ｂは、調整ユニット２４の模式的な側面図である。
【図５Ａ】図５Ａは、搬送ベルト設置治具７９の斜視図である。
【図５Ｂ】図５Ｂは、搬送ベルト設置治具７９の要部断面図である。
【図６Ａ】図６Ａは、搬送レール２０の一部の斜視図である。
【図６Ｂ】図６Ｂは、搬送ベルト２２の設置方法を示すための紙幣搬送装置７の図解的な平面図であって、搬送ベルト２２を設置する前の状態を示している。
【図７】図７は、図６Ｂの次の工程を示す図解的な平面図である。
【図８】図８は、図７の次の工程を示す図解的な平面図である。
【図９】図９は、図８の次の工程を示す図解的な平面図である。
【図１０】図１０は、図９の次の工程を示す図解的な平面図である。
【図１１Ａ】図１１Ａは、図１０の次の工程を示すための紙幣搬送装置７の斜視図であって、搬送ベルト設置治具７９が取り付けられた直後の状態を示している。
【図１１Ｂ】図１１Ｂは、図１１Ａの状態における紙幣搬送装置７および搬送ベルト設置治具７９の要部断面図である。
【図１２】図１２は、図１１Ａの次の工程を示すための紙幣搬送装置７および搬送ベルト設置治具７９の要部平断面図である。
【図１３】図１３は、図１２の次の工程を示すための紙幣搬送装置７および搬送ベルト設置治具７９の要部平断面図である。
【図１４Ａ】図１４Ａは、図１３の次の工程を示すための紙幣搬送装置７および搬送ベルト設置治具７９の要部平断面図である。
【図１４Ｂ】図１４Ｂは、図１４Ａの次の工程を示すための紙幣搬送装置７および搬送ベルト設置治具７９の要部平断面図である。
【図１４Ｃ】図１４Ｃは、図１４Ｂの次の工程を示すための紙幣搬送装置７および搬送ベルト設置治具７９の要部平断面図である。
【図１５Ａ】図１５Ａは、図１４Ｃの次の工程を示すための紙幣搬送装置７および搬送ベルト設置治具７９の要部平断面図である。
【図１５Ｂ】図１５Ｂは、図１５Ａの状態における紙幣搬送装置７および搬送ベルト設置治具７９の要部斜視図である。
【発明を実施するための形態】
【００１６】
以下には、図面を参照して、この発明の実施形態について具体的に説明する。
図１は、遊技店における１つの遊技島Ａの模式的な平断面図である。
図１を参照して、パチンコ店等の遊技店内には、パチンコ台などの遊技台１が複数配置されている。複数の遊技台１は、所定数毎にまとまっていて、所定数の遊技台１のまとまりは、１つの遊技島Ａを構成している。遊技店内には、遊技島Ａが複数設けられている。
【００１７】
１つの遊技島Ａにおいて、この遊技島Ａを構成する複数の遊技台１は、それぞれの正面１Ａ（遊技客に臨む面）が略面一になるように所定方向Ｘ（図１では左右方向）に並べて配置されている。そのため、複数の遊技台１では、それぞれの背面１Ｂが所定方向Ｘに沿って並んでいる。
遊技島Ａには、遊技店の壁際に位置する遊技島Ａと、遊技店の壁際から離れた位置にある遊技島Ａとがある。図１は、遊技店の壁際から離れた位置にある遊技島Ａを示している。
【００１８】
遊技店の壁際に位置する遊技島Ａでは、全ての遊技台１は、遊技店の壁に背を向けた状態で所定方向Ｘに並んでいる。一方、遊技店の壁際から離れた位置にある遊技島Ａでは、図１に示すように、２台の遊技台１が背中合わせで配置されて１つの組をなし、複数の組が、所定方向Ｘに並んでいる。
各遊技島Ａの所定方向Ｘにおける両端面は、妻板２（図１でハッチングを付した部分）で覆われている。
【００１９】
そして、各遊技台１の左隣または右隣（図１では、遊技客が遊技台１を正面から見たときにおける遊技台１の左隣）には、所定方向Ｘにおいて薄い板状の台間機３が配置されている。各台間機３は、その隣（図１では、正面から見て右隣）の遊技台１に対する専用機であり、遊技客から紙幣を受け付けることによって、対応する遊技台１で遊技するための遊技媒体（パチンコ玉等）を遊技客に貸し出す。各台間機３は、所定方向Ｘにおいて隣り合う遊技台１の間、または、所定方向Ｘにおける遊技島Ａの端に位置する遊技台１と妻板２との間に配置されている。各台間機３の正面３Ａは、隣り合う遊技台１の正面１Ａと略面一になっている。台間機３は、遊技台１とともに、遊技島Ａを構成している。
【００２０】
台間機３の正面３Ａには、紙幣投入口４が形成されている。紙幣投入口４は、正面から見て縦長のスリットである。台間機３の内部には、紙幣投入口４から連続して台間機３の背面３Ｂ側へ延びる受入路５が形成されている。受入路５は、台間機３の背面３Ｂから露出されている。台間機３の内部において、たとえば紙幣投入口４の近傍には、１対の受入ローラ６が互いに接触した状態で配置されている。１対の受入ローラ６のそれぞれは、受入路５内に臨んでいて、これらの受入ローラ６の接触部分は、受入路５内に位置している。
【００２１】
遊技台１で遊技をしたい遊技客は、遊技をするために必要な紙幣Ｓを紙幣投入口４に投入することで入金する。紙幣投入口４に投入された紙幣Ｓは、１対の受入ローラ６の接触部分に進入する。これに伴い、１対の受入ローラ６が回転して紙幣Ｓを受入路５内に受け入れる。すると、台間機３は、受け入れられた紙幣Ｓの金額の範囲内で貸し出し可能な数の遊技媒体を遊技客に貸し出す。具体的には、台間機３は、貸し出す数の遊技媒体を遊技客に直接払い出したり、貸し出す数の遊技媒体を払い出すように遊技台１に対して指令を出したりする。
【００２２】
遊技島Ａには、遊技台１および台間機３の他に、紙幣搬送装置７および回収庫８が設けられている。
紙幣搬送装置７は、遊技台１で遊技するために台間機３に入金された紙幣Ｓを搬送する装置である。紙幣搬送装置７は、所定方向Ｘにおいて長手である。紙幣搬送装置７の所定方向Ｘにおける寸法は、遊技島Ａの所定方向Ｘにおける寸法と大体同じである。紙幣搬送装置７は、遊技島Ａにおいて所定方向Ｘに並ぶ複数の遊技台１の背面１Ｂに沿って配置されている。図１のように、遊技島Ａにおいて背中合わせに配置された２つの遊技台１の組が所定方向Ｘに並んでいる場合、紙幣搬送装置７は、背中合わせに配置された２つの遊技台１の間に配置されている。
【００２３】
紙幣搬送装置７は、搬送レール２０と、１対の支持ローラ２１と、１本の搬送ベルト２２と、カバー２３と、調整ユニット２４とを含んでいる。
搬送レール２０は、所定方向Ｘにおいて長手である。搬送レール２０全体の所定方向Ｘにおける寸法は、遊技島Ａの所定方向Ｘにおける寸法と大体同じである。搬送レール２０は、所定方向Ｘにおいて、複数の分割レール２５に分割されている。この実施形態では、搬送レール２０は、２つの分割レール２５に分割されている。２つの分割レール２５は、所定方向Ｘに沿って並んでいて、図１における左側の分割レール２５Ａが、搬送レール２０のほぼ全体を占めていて、図１における右側の分割レール２５Ｂが搬送レール２０の右端部をなしている。分割レール２５Ａと分割レール２５Ｂとは、所定方向Ｘにおいて間隔を隔てており、この間隔を埋めるように調整ユニット２４が配置されている。
【００２４】
１対の支持ローラ２１は、縦に延びる円筒状または円柱状であり、その円中心を中心として回転可能である。１対の支持ローラ２１のうち、一方の支持ローラ２１Ａは、分割レール２５Ａにおいて図１における左端部に設けられていて、他方の支持ローラ２１Ｂは、分割レール２５Ｂに設けられている。搬送レール２０全体で見ると、分割レール２５Ａ，２５Ｂに設けられた１対の支持ローラ２１は、所定方向Ｘにおける搬送レール２０の両端（換言すれば、遊技島Ａの両端）に設けられている。搬送レール２０には、モータ３３（駆動機構）が設けられていて、このモータ３３が駆動力を発生させると、分割レール２５Ａ側の支持ローラ２１Ａが回転する。
【００２５】
搬送ベルト２２は、無端状の平ベルト（エンドレスベルト）であり、１対の支持ローラ２１間に掛け回されている。搬送ベルト２２は、図１に示す平面視において、所定方向Ｘに沿って細長い環状をなしている。所定方向Ｘは、搬送ベルト２２の長さ方向でもある。１対の支持ローラ２１間に掛け回された状態にある搬送ベルト２２は、１対の支持ローラ２１間で所定方向Ｘに沿って平行に延びる１対の直線部分２２Ａを含んでいる。紙幣搬送装置７では、丸ベルト等に比べて小プーリ径で駆動を伝達し易い平ベルトを搬送ベルト２２として用いることによって、小径の支持ローラ２１を用いることができる。これにより、紙幣搬送装置７全体の小型化を図ることができる。
【００２６】
そして、１対の直線部分２２Ａの間に、搬送レール２０が位置している。つまり、搬送ベルト２２における１対の直線部分２２Ａは、搬送レール２０の外側に露出された状態で、搬送レール２０に沿って配置されている。前述したようにモータ３３が駆動力を発生させることで一方の支持ローラ２１Ａが回転すると、当該一方の支持ローラ２１Ａが駆動ローラとなって他方の支持ローラ２１Ｂが従動ローラとなることで、搬送ベルト２２が周回移動する。つまり、モータ３３は、搬送ベルト２２を周回移動させる。搬送ベルト２２の周回方向は、一方向であり、平面視で反時計回りの方向である。なお、搬送ベルト２２の周回方向は、逆向きであっても構わない。
【００２７】
カバー２３は、板状であって、複数に分割可能である。カバー２３は、搬送レール２０の外側に露出された搬送ベルト２２を全域に亘って外から覆うように搬送レール２０に取り付けられている。搬送レール２０とカバー２３との間には、隙間が確保されている。この隙間は、平面視において、搬送レール２０を縁取りつつ、図１の左端部の支持ローラ２１Ａ側において開放された略Ｕ字形状をなす搬送路２６を構成している。搬送路２６内には、搬送ベルト２２の１対の直線部分２２Ａと、搬送ベルト２２において図１における右端部の支持ローラ２１Ｂに沿って湾曲している湾曲部分２２Ｂとが配置されている。搬送ベルト２２の周回方向が平面視で反時計回りの方向であることから、搬送路２６では、図１における左下部分が、搬送ベルト２２の周回方向における上流側であり、図１における左上部分が、搬送ベルト２２の周回方向における下流側である。
【００２８】
カバー２３において搬送路２６内の搬送ベルト２２の外周面に対向する面には、複数のガイドローラ２７が設けられている。ガイドローラ２７は、平面視で円形状であって、その円中心を中心として回転自在である。ガイドローラ２７は、搬送ベルト２２の外周面に対向配置されており、ガイドローラ２７の外周面が搬送ベルト２２の外周面に接触している。複数のガイドローラ２７は、搬送路２６に沿う方向において、所定の間隔を隔てて並んで配置されている。当該所定の間隔は、紙幣Ｓの長手方向寸法よりも短い間隔である。なお、ガイドローラ２７の代わりに、搬送ベルト２２の外周面に接触する環状のエンドレスベルト等を用いることもできる。
【００２９】
カバー２３には、取込部材３５が取り付けられている。取込部材３５は、台間機３と同じ数だけ設けられている。取込部材３５は、対応する台間機３の背面３Ｂに連結されている。カバー２３には、搬送路２６から各取込部材３５側へ分岐する分岐路３６が設けられている。分岐路３６の数は、取込部材３５の数と同じである。分岐路３６は、対応する取込部材３５から、搬送ベルト２２の周回方向における下流側へ湾曲して搬送路２６に合流していて、搬送路２６内における搬送ベルト２２の直線部分２２Ａに臨んでいる。取込部材３５の内部には、対応する台間機３の受入路５と分岐路３６とを連通させる取込路３７が形成されている。取込部材３５の内部には、１対の取込ローラ３８が互いに接触した状態で配置されている。１対の取込ローラ３８のそれぞれは、取込路３７内に臨んでいて、これらの取込ローラ３８の接触部分は、取込路３７内に位置している。
【００３０】
調整ユニット２４は、前述したように分割レール２５Ａと分割レール２５Ｂとの間に配置され、搬送レール２０に連結されている。つまり、この実施形態では、調整ユニット２４は、１つ設けられている。この状態で、調整ユニット２４全体は、搬送ベルト２２における１対の直線部分２２Ａの間に配置されており、搬送レール２０の一部となっている。調整ユニット２４は、所定方向Ｘに沿って伸縮することによって、搬送レール２０の所定方向Ｘにおける寸法を調整する。調整ユニット２４については、以降で詳説する。
【００３１】
回収庫８は、所定方向Ｘにおける遊技島Ａの端（図１では左端）の妻板２に設けられている。回収庫８は、この妻板２を貫通して、搬送レール２０の端（図１では分割レール２５Ａ）に連結されている。回収庫８において搬送レール２０に連結される部分には、搬送ベルト２２の周回方向における搬送路２６の下流側端部に連通する回収口２８が形成されている。回収庫８の内部には、回収室２９と、回収路３０とが設けられている。回収室２９は、多数の紙幣Ｓを収容し得る広さを有する空間である。回収路３０は、回収口２８と回収室２９とを連通させている。回収庫８の内部において、たとえば回収口２８の近傍には、１対の回収ローラ３１が互いに接触した状態で配置されている。１対の回収ローラ３１のそれぞれは、回収路３０内に臨んでいて、これらの回収ローラ３１の接触部分は、回収路３０内に位置している。
【００３２】
図１において下側で並ぶ台間機３における左から２番目の台間機３と、上側で並ぶ台間機３における右から３番目の台間機３とを参照して、遊技島Ａにおける紙幣Ｓの流れを説明する。図１において、太い破線矢印が、紙幣Ｓの流れを示している。
まず、前述したように遊技客が紙幣Ｓを紙幣投入口４に投入（入金）すると、紙幣投入口４に投入された紙幣Ｓは、１対の受入ローラ６の接触部分に進入し、回転する１対の受入ローラ６によって受入路５内に受け入れられる。受入路５内に受け入れられた紙幣Ｓの先端は、取込部材３５の取込路３７内に取り込まれて、１対の取込ローラ３８の接触部分に進入する。この状態で、紙幣Ｓの搬送が一時停止する。
【００３３】
そして、遊技客への遊技媒体の貸し出しが完了したのに応じて、１対の取込ローラ３８が回転する。これにより、１対の取込ローラ３８の接触部分にあった紙幣Ｓが、取込路３７を通過して、この取込路３７に連通している分岐路３６を経由した後に、搬送路２６内に進入する。
搬送路２６内に露出されている搬送ベルト２２は、紙幣Ｓが搬送路２６内に進入するときには、周回移動を開始している。搬送路２６内に進入した紙幣Ｓは、周回移動する搬送ベルト２２の直線部分２２Ａに引っ張られることで、搬送ベルト２２の周回方向に沿って搬送路２６内を搬送される。この際、紙幣Ｓは、周回移動する搬送ベルト２２と、搬送ベルト２２の外周面に対向する各ガイドローラ２７とに挟持された状態で搬送される。なお、搬送ベルト２２は、常に周回移動し続けていてもよい。
【００３４】
ここで、図１において下側で並ぶ台間機３における左から２番目の台間機３で受け入られた紙幣Ｓは、搬送路２６内に進入してから、図１における下側の直線部分２２Ａによって、所定方向Ｘに沿いながら、回収庫８から一旦離れる方向（図１における右側）へ搬送される。そして、搬送路２６の右端まで到達した紙幣Ｓは、搬送ベルト２２において、図１における下側の直線部分２２Ａから湾曲部分２２Ｂへと受け渡され、略Ｕ字形状をなす搬送路２６において湾曲した部分（図１における右端部）でＵターンする。そして、この紙幣Ｓは、搬送ベルト２２において、湾曲部分２２Ｂから図１における上側の直線部分２２Ａへと受け渡され、この直線部分２２Ａによって、所定方向Ｘに沿いながら、回収庫８へ近付く方向（図１における左側）へ搬送される。
【００３５】
一方、図１において上側で並ぶ台間機３における右から３番目の台間機３で受け入られた紙幣Ｓは、搬送路２６内に進入してから、図１における上側の直線部分２２Ａによって、所定方向Ｘに沿いながら、回収庫８へ近づく方向へ直ちに搬送される。
そして、図１における上側の直線部分２２Ａによって、搬送路２６内を所定方向Ｘに沿って搬送された紙幣Ｓは、搬送路２６の下流側端部（図１における左端部）において、回収庫８の回収口２８に進入する。そして、この紙幣Ｓは、１対の回収ローラ３１の接触部分に進入し、回転する１対の回収ローラ３１によって回収路３０内に受け入れられる。回収路３０内を通過した紙幣Ｓは、回収室２９内に溜められる。
【００３６】
回収室２９内に溜められた紙幣Ｓは、所定のタイミングに遊技店の店員によって取り出されて、遊技店の事務所等に配置された金庫に保管される。
このように、この紙幣搬送装置７では、１本の搬送ベルト２２を１対の支持ローラ２１に掛け回し、搬送ベルト２２とガイドローラ２７との間で紙幣Ｓを挟持しながら搬送する。この場合、遊技島Ａにおいて紙幣Ｓを搬送するために必要なベルトは、１本の搬送ベルト２２だけで済み、この搬送ベルト２２を周回移動させるモータ３３も１つで済む。そのため、紙幣搬送装置７をシンプルに構成でき、少ない工数で容易に組立および設置することができる。これにより、紙幣搬送装置７にかかるコストの低減を図ることができる。
【００３７】
次に、調整ユニット２４に関連する構成について説明する。
図２は、紙幣搬送装置７の模式的な斜視図である。図３は、紙幣搬送装置７の要部の模式的な分解斜視図である。図４Ａおよび図４Ｂは、調整ユニット２４の模式的な側面図である。
図２および図３では、紙幣搬送装置７の具体的な形状が示されている。なお、図２〜図４Ｂでは、前述したカバー２３（図１参照）の図示が省略されている。
【００３８】
図２では、搬送レール２０における分割レール２５Ａが左手前側に位置していて、分割レール２５Ｂが右奥側に位置している。分割レール２５Ａの左手前側の端面は、回収庫８（図１参照）に接続される部分であり、この端面には、搬送路２６の下流側端部が出口３９として現れている。
図３では、分割レール２５ＡおよびＢと、これらの間に配置される調整ユニット２４とが示されている。図３を参照して、分割レール２５ＡおよびＢは、前述した所定方向Ｘにおける寸法が違うものの、所定方向Ｘに直交する切断面で切断したときの断面形状は同じである。それぞれの分割レール２５は、板状フレーム４５と、板状フレーム４５の上下方向両端に設けられた管状フレーム４６とを備えている。板状フレーム４５と管状フレーム４６とは互いに組み付けられることで一体化されている。なお、板状フレーム４５および管状フレーム４６は、元々から一体化されたものであってもよい。
【００３９】
板状フレーム４５は、所定方向Ｘに長手で高さ方向に延びていて、これらの方向（所定方向Ｘおよび高さ方向）に対して直交する方向（以下では、「直交方向」という）においてやや薄い板状である。板状フレーム４５は、たとえばアルミニウム等の金属で形成されている。板状フレーム４５において、当該直交方向における両側の外側面には、所定方向Ｘに沿って延びる配置溝４７が形成されている。配置溝４７は、板状フレーム４５において所定方向Ｘにおける全域に亘って形成されている。配置溝４７には、搬送ベルト２２の直線部分２２Ａ（図２参照）が嵌っていて、これにより、周回移動中の搬送ベルト２２が上下にずれることが防止される。つまり、搬送レール２０は、配置溝４７において、搬送ベルト２２の周回移動を案内する。
【００４０】
管状フレーム４６は、上下に扁平な四角い額縁状の断面を有する中空体であり、所定方向Ｘにおいて長手である。管状フレーム４６は、板状フレーム４５と同様に、アルミニウム等の金属で形成されている。所定方向Ｘにおいて、管状フレーム４６と板状フレーム４５とは同じ大きさである。それぞれの分割レール２５において、隣り合う分割レール２５に対向する端面では、板状フレーム４５の上下両側の各管状フレーム４６の内部が、開口４８として露出されている。
【００４１】
次に、調整ユニット２４について詳説する。
調整ユニット２４は、上フレーム５１と、下フレーム５２と、固定カバー５３と、スライドカバー５４と、固定突起５５と、スライド突起５６と、ボルト５７と、第１ナット５８と、第２ナット５９とを備えている。
上フレーム５１および下フレーム５２は、ともに、上下に扁平な四角い額縁状の断面を有する中空体であり、所定方向Ｘにおいて長手である。上フレーム５１および下フレーム５２は、管状フレーム４６の内部（開口４８）に挿通できる大きさを有している。上フレーム５１および下フレーム５２は、アルミニウム等の金属で形成されている。上フレーム５１および下フレーム５２は、間隔を隔てて下フレーム５２の真上に上フレーム５１が位置するように平行に配置されている。
【００４２】
固定カバー５３およびスライドカバー５４は、所定方向Ｘに長手で高さ方向に延びていて、前記直交方向において薄い板状である。固定カバー５３およびスライドカバー５４は、当該直交方向から見て、所定方向Ｘに長手の長方形状をなしている。固定カバー５３およびスライドカバー５４は、たとえば樹脂で形成されている。固定カバー５３およびスライドカバー５４は、当該直交方向において互いにずれた位置に配置されていて、この状態で、上フレーム５１および下フレーム５２の間に架設されている。
【００４３】
固定カバー５３は、上フレーム５１および下フレーム５２において、所定方向Ｘにおける一方側へ偏った位置に配置されていて、スライドカバー５４は、所定方向Ｘにおける他方側へ偏った位置に配置されている。図３では、固定カバー５３が左手前側へ偏った位置に配置され、スライドカバー５４が右奥側へ偏った位置に配置されているが、逆でも構わない。固定カバー５３は、上フレーム５１および下フレーム５２に対して相対移動不能に固定されているが、スライドカバー５４は、上フレーム５１および下フレーム５２に対して所定方向Ｘに沿ってスライド可能である。スライドカバー５４は、図３では、固定カバー５３の後に隠れた位置と、固定カバー５３から右側へはみ出た位置との間でスライド可能である。スライドカバー５４には、所定方向Ｘに沿って目盛６０が刻まれており、固定カバー５３から右側へはみ出た目盛６０の数に応じて、所定方向Ｘにおけるスライドカバー５４の位置を特定できる。なお、固定カバー５３およびスライドカバー５４は、１つずつ設けられていてもよく、２つずつ設けられていてもよい。２つずつ設けられた場合の固定カバー５３およびスライドカバー５４は、前記直交方向において交互に配置される。
【００４４】
図３に示すようにスライドカバー５４が固定カバー５３から右側へ目一杯はみ出た状態において、固定カバー５３およびスライドカバー５４のまとまりは、上フレーム５１および下フレーム５２の所定方向Ｘにおける両端の内側に位置している。図３において、固定カバー５３の左端面を第１規制面５３Ａといい、固定カバー５３の右端面を第２規制面５３Ｂといい、スライドカバー５４の右端面を規制面５４Ａという。固定カバー５３の第１規制面５３Ａは、固定カバー５３およびスライドカバー５４において上フレーム５１および下フレーム５２の左端面に最も近い面であり、スライドカバー５４の規制面５４Ａは、固定カバー５３およびスライドカバー５４において上フレーム５１および下フレーム５２の右端面に最も近い面である。
【００４５】
固定突起５５は、上フレーム５１および下フレーム５２のそれぞれにおいて、所定方向Ｘにおいて固定カバー５３の第１規制面５３Ａと一致する位置に設けられている。
上フレーム５１の固定突起５５は、上フレーム５１の上面に固定されている。下フレーム５２の固定突起５５は、下フレーム５２の下面に固定されている。
固定突起５５は、上下に薄い板状のベース部６１と、所定方向Ｘにおいて薄くベース部６１の一端（図３における右端）から上方（下フレーム５２の固定突起５５の場合は、下方）ヘ突出して延びる突出部６２と、上下方向（高さ方向）および所定方向Ｘの両方に対する直交方向における突出部６２の両端部からベース部６１側（図３における左側）へ延びる１対の延設部６３とを一体的に備えている。突出部６２には、突出部６２を所定方向Ｘにおいて貫通する貫通孔（図示せず）が形成されている。１対の延設部６３のそれぞれとベース部６１との間には、所定方向Ｘに延びる隙間Ｙが確保されている。隙間Ｙでは、所定方向Ｘにおいて、一端（図３における右端）が突出部６２に区画されていて、他端（図３における左端）が開放されている。上フレーム５１および下フレーム５２の各固定突起５５の突出部６２において、隙間Ｙの前記一端を区画している端面６２Ａは、所定方向Ｘにおいて固定カバー５３の第１規制面５３Ａと一致し、面一になっている。
【００４６】
スライド突起５６は、上フレーム５１および下フレーム５２のそれぞれにおいて、所定方向Ｘにおいて固定突起５５とは反対側に設けられている。
スライド突起５６は、上下に薄い板状のベース部７１と、所定方向Ｘにおいて薄くベース部７１の一端（図３における左端）から上方（下フレーム５２のスライド突起５６の場合は、下方）ヘ突出して延びる突出部７２と、上下方向および所定方向Ｘの両方に対する直交方向における突出部７２の両端部からベース部７１側（図３における右側）へ延びる１対の延設部７３とを一体的に備えている。突出部７２には、突出部７２を所定方向Ｘにおいて貫通する貫通孔（図示せず）が形成されている。１対の延設部７３のそれぞれとベース部７１との間には、所定方向Ｘに延びる隙間Ｚが確保されている。隙間Ｚでは、所定方向Ｘにおいて、一端（図３における左端）が突出部７２に区画されていて、他端（図３における右端）が開放されている。上フレーム５１および下フレーム５２の各スライド突起５６の突出部７２において、隙間Ｚの前記一端を区画している端面には、符号７２Ａが付されている。
【００４７】
図４Ａを参照して、上フレーム５１側のスライド突起５６のベース部７１の下面、および、下フレーム５２側のスライド突起５６のベース部７１の上面には、下方（下フレーム５２側のスライド突起５６の場合、上方）へ突出する係合部７４が設けられている。係合部７４に関連して、上フレーム５１の上面および下フレーム５２の下面のそれぞれには、所定方向Ｘに沿って延びるスライド溝７５が形成されている（図３参照）。各スライド溝７５は、上フレーム５１または下フレーム５２の内部に連通している。
【００４８】
上フレーム５１側のスライド突起５６の係合部７４は、上フレーム５１の上面のスライド溝７５に対して外れ不能に嵌り込んで、上フレーム５１内に配置されている。これにより、上フレーム５１側のスライド突起５６は、係合部７４がスライド溝７５にガイドされることで、上フレーム５１によって所定方向Ｘに沿ってスライド可能に支持されている。下フレーム５２側のスライド突起５６の係合部７４は、下フレーム５２の下面のスライド溝７５に対して外れ不能に嵌り込んで、下フレーム５２内に配置されている。これにより、下フレーム５２側のスライド突起５６は、係合部７４がスライド溝７５にガイドされることで、下フレーム５２によって所定方向Ｘに沿ってスライド可能に支持されている。
【００４９】
この状態で、上フレーム５１側および下フレーム５２側のそれぞれにおいて、固定突起５５の突出部６２と、スライド突起５６の突出部７２とが所定方向Ｘにおいて対向している。
ボルト５７は、上フレーム５１および下フレーム５２に応じて、合計で２本ある。それぞれのボルト５７は、所定方向Ｘに延びる円柱状であって外周面に螺旋溝が形成されたねじ部５７Ａと、ねじ部５７Ａの一端につながった頭部５７Ｂとを一体的に有している。ボルト５７では、ねじ部５７Ａが各固定突起５５の突出部６２の前述した貫通孔（図示せず）に対して、スライド突起５６とは反対側から挿通され、頭部５７Ｂが当該反対側から突出部６２に当接している。
【００５０】
上フレーム５１側の固定突起５５の突出部６２の貫通孔（図示せず）に挿通されたねじ部５７Ａの先端は、上フレーム５１側のスライド突起５６の突出部７２の貫通孔（図示せず）に対して遊びを持って挿通されている。下フレーム５２側の固定突起５５の突出部６２の貫通孔（図示せず）に挿通されたねじ部５７Ａの先端は、下フレーム５２側のスライド突起５６の突出部７２の貫通孔（図示せず）に対して遊びを持って挿通されている。
【００５１】
第１ナット５８は、スライド突起５６の突出部７２に対して固定突起５５側に配置され、第２ナット５９は、突出部７２を挟んで第１ナット５８に対向するように配置されている。第１ナット５８および第２ナット５９は、突出部７２を挟んだ状態で、ねじ部５７Ａの先端に組み付けられている。そして、この状態で、第１ナット５８および第２ナット５９を互いに接近するように締め付けると、所定方向Ｘにおけるスライド突起５６の位置が固定される。以下では、この状態を、通常状態とする。
【００５２】
一方、第１ナット５８および第２ナット５９を緩めると、所定方向Ｘにおいてスライド突起５６をスライドさせることができる。上フレーム５１側のスライド突起５６と、下フレーム５２側のスライド突起５６と、スライドカバー５４（図３および図４Ｂ参照）とはそれぞれ独立して所定方向Ｘにおいてスライドさせることができる。ただし、上フレーム５１側のスライド突起５６および下フレーム５２側のスライド突起５６の所定方向Ｘにおける位置は、最終的に第１ナット５８および第２ナット５９を締め付けた通常状態では同じになるように調整される。
【００５３】
また、前述したように、ボルト５７のねじ部５７Ａは、下フレーム５２側および上フレーム５１側の各スライド突起５６の突出部７２の貫通孔（図示せず）に対して遊びを持って挿通されているので、各スライド突起５６は、スライドする際に、ボルト５７のねじ部５７Ａを中心に回転することはない。
図４Ａでは、各スライド突起５６を固定突起５５側へ目一杯スライドさせた状態を示しており、図４Ｂでは、各スライド突起５６を固定突起５５から離れる側へ目一杯スライドさせた状態を示している。このようにスライド突起５６をスライドさせることによって、固定突起５５とスライド突起５６との間隔を調整することができる。固定突起５５およびスライド突起５６のまとまりを調整機構７６というと、スライド突起５６をスライドさせることによって、調整機構７６を所定方向Ｘにおいて伸縮させることができる。
【００５４】
そして、図３を参照して、調整ユニット２４では、上フレーム５１が、互いに対向する２つの分割レール２５（図３では、分割レール２５Ａおよび２５Ｂ）のそれぞれにおける上側の管状フレーム４６の開口４８に挿通され、下フレーム５２が、２つの分割レール２５のそれぞれにおける下側の管状フレーム４６の開口４８に挿通されている。そのため、図４Ａおよび図４Ｂに示すように、所定方向Ｘにおける上フレーム５１の両側部分が、対向する２つの分割レール２５のそれぞれにおける上側の管状フレーム４６内に収容され、所定方向Ｘにおける下フレーム５２の両側部分が、対向する２つの分割レール２５のそれぞれにおける下側の管状フレーム４６内に収容されている。
【００５５】
このとき、互いに対向する２つの分割レール２５のうち、一方の分割レール２５（ここでは、分割レール２５Ａ）の上側の管状フレーム４６における上側の周縁部が、上フレーム５１の固定突起５５の各隙間Ｙに嵌まり込んで当該固定突起５５の突出部６２の端面６２Ａに当接している。また、他方の分割レール２５（ここでは、分割レール２５Ｂ）の上側の管状フレーム４６における上側の周縁部が、上フレーム５１のスライド突起５６の各隙間Ｚに嵌まり込んで当該スライド突起５６の突出部７２の端面７２Ａに当接している。
【００５６】
同様に、一方の分割レール２５（２５Ａ）の下側の管状フレーム４６における下側の周縁部が、下フレーム５２の固定突起５５の各隙間Ｙに嵌まり込んで当該固定突起５５の突出部６２の端面６２Ａに当接している。また、他方の分割レール２５（２５Ｂ）の下側の管状フレーム４６における下側の周縁部が、下フレーム５２のスライド突起５６の各隙間Ｚに嵌まり込んで当該スライド突起５６の突出部７２の端面７２Ａに当接している。
【００５７】
これにより、前述した通常状態では、所定方向Ｘにおいて互いに対向する２つの分割レール２５の対向間隔は、各固定突起５５の突出部６２において管状フレーム４６に当接している端面６２Ａと、各スライド突起５６の突出部７２において管状フレーム４６に当接している端面７２Ａとの間隔で維持されている。また、このとき、固定カバー５３の前述した第１規制面５３Ａが、固定突起５５の突出部６２に当接している分割レール２５（ここでは、分割レール２５Ａ）の板状フレーム４５に当接している。この状態で、調整機構７６（固定突起５５およびスライド突起５６のまとまり）は、所定方向Ｘにおいて互いに対向する２つの分割レール２５の間に架設されている。
【００５８】
図４Ａでは、スライドカバー５４が固定カバー５３の後に隠れており、このとき、固定カバー５３の前述した第２規制面５３Ｂおよびスライドカバー５４の規制面５４Ａが、スライド突起５６の突出部７２に当接している分割レール２５（ここでは、分割レール２５Ｂ）の板状フレーム４５に当接している。これにより、対向する２つの分割レール２５における板状フレーム４５間の隙間が、固定カバー５３およびスライドカバー５４によって塞がれている。
【００５９】
この状態（前述した通常状態）で、各スライド突起５６における第１ナット５８および第２ナット５９を緩めて、図４Ｂに示すように、各スライド突起５６を対応する固定突起５５から離れる方向へスライドさせ、その後、第１ナット５８および第２ナット５９を締めて通常状態にして、各スライド突起５６の位置を固定する。すると、所定方向Ｘにおいて、固定突起５５の突出部６２の端面６２Ａと、スライド突起５６の突出部７２の端面７２Ａとの間隔が広がって、調整機構７６が所定方向Ｘにおいて伸びる。これにより、互いに対向する２つの分割レール２５の間隔も、前述した端面６２Ａ、７２Ａ間の間隔に応じて広がり、搬送レール２０全体が所定方向Ｘにおいて伸びる。これにより、所定方向Ｘにおける分割レール２５Ａの支持ローラ２１Ａと分割レール２５Ｂの支持ローラ２１Ｂとの間隔（１対の支持ローラ２１間の距離であり、搬送ベルト２２の所定方向Ｘにおける寸法）が大きくなるように調整される（図１および図２参照）。１対の支持ローラ２１間の距離が広がるように調整することで、１対の支持ローラ２１間に掛け回された搬送ベルト２２のテンションを若干きつくすることができる。
【００６０】
ここで、上フレーム５１および下フレーム５２のそれぞれにおけるスライド突起５６と固定突起５５との間隔が広がった直後の状態では、スライド突起５６に接触している分割レール２５の板状フレーム４５と固定カバー５３の第１規制面５３Ｂとの間に隙間が生じている。そのため、スライドカバー５４をスライド突起５６側へ引き出して、図４Ｂに示すように、スライドカバー５４によって当該隙間を塞ぐ。このとき、スライドカバー５４において固定カバー５３からはみ出た目盛６０を見ることで、スライド突起５６と固定突起５５との間隔（前述した端面６２Ａ、７２Ａ間の間隔）がどれだけ広がったかを把握できる。
【００６１】
そして、搬送ベルト２２のテンションを緩めたければ、前述した通常状態の第１ナット５８および第２ナット５９を緩めて、図４Ａに示すように、各スライド突起５６を固定突起５５側へスライドさせ、その後、第１ナット５８および第２ナット５９を締めて通常状態にして各スライド突起５６の位置を固定する。すると、所定方向Ｘにおいて、スライド突起５６と固定突起５５との間隔が狭まり、調整機構７６が縮む。このとき、調整ユニット２４の上フレーム５１および下フレーム５２が、互いに対向する２つの分割レール２５（図４Ａでは、分割レール２５Ａおよび２５Ｂ）のそれぞれにおいて対応する上下の管状フレーム４６の開口４８（図３参照）に圧入されていれば、互いに対向する２つの分割レール２５の間隔も狭まり、搬送レール２０全体が縮む。しかし、上フレーム５１および下フレーム５２が開口４８に対して遊びを持って挿通されていれば、調整機構７６が縮んでも、互いに対向する２つの分割レール２５の間隔は狭まらない。この場合には、２つの分割レール２５を近付くように押え付けて、２つの分割レール２５の間隔を狭める必要がある。
【００６２】
いずれにせよ、２つの分割レール２５の間隔が狭まって搬送レール２０全体が縮むと、１対の支持ローラ２１間の距離が狭まるように調整される（図１および図２参照）。これにより、１対の支持ローラ２１間に掛け回された搬送ベルト２２のテンションを若干緩めることができる。
以上のように、搬送ベルト２２における１対の直線部分２２Ａの間に調整ユニット２４を配置して（図１および図２参照）、調整ユニット２４の調整機構７６を所定方向Ｘ（直線部分２２Ａ）に沿って伸縮させることによって所定方向Ｘにおける１対の支持ローラ２１間の距離（換言すれば、搬送レール２０の寸法）を調整できる。
【００６３】
次に、紙幣搬送装置７に対する搬送ベルト２２の設置方法について説明する。
搬送ベルト２２を設置する際には、専用の搬送ベルト設置治具７９が用いられる。
図５Ａは、搬送ベルト設置治具７９の斜視図である。図５Ｂは、搬送ベルト設置治具７９の要部断面図である。図５Ａにおける搬送ベルト設置治具７９は、紙幣搬送装置７に取り付けられたときの実際の姿勢で示されている。
【００６４】
図５Ａを参照して、搬送ベルト設置治具７９は、たとえば金属製であり、本体８０と、第１挟持部８１と、第２挟持部８２と、第３挟持部８３とを含んでいる。
本体８０は、搬送レール２０の長さ（長手）方向（前述した所定方向Ｘ）に一定長さを有していて、この方向において長手である。つまり、本体８０の一定長さ方向と所定方向Ｘとは同じである。本体８０は、縦に延びる平板状であり、所定方向Ｘおよび高さ方向の両方に直交する方向（前記直交方向）において薄く、直交方向から見て、所定方向Ｘに長手の長方形状をなしている。
【００６５】
本体８０の上端部は、所定方向Ｘにおけるほぼ全域に亘って図５Ａの紙面奥側へ折り曲げられており、上下が逆の略Ｕ字の鉤状をなすフック部分８０Ａとなっている。本体８０の上端部の所定方向Ｘにおける両端部には、蝶ボルト８４（固定手段）が１つずつ取り付けられている。蝶ボルト８４を時計回りにねじ込んで締め付けると、蝶ボルト８４のねじ部８４Ａ（図１１Ｂ参照）が、略Ｕ字のフック部分８０Ａの内部へ進入するようになっている。
【００６６】
本体８０の所定方向Ｘにおける両端部は、図５Ａの紙面手前側へ略直角に折り曲げられた折曲部８０Ｂとなっていて、所定方向Ｘから見て略Ｌ字状をなしている。
第１挟持部８１は、本体８０において図５Ａの紙面手前側の側面に設けられている。第１挟持部８１は、本体８０の所定方向Ｘにおける一端側（図５Ａにおける右端側）に位置している。詳しくは、第１挟持部８１は、図５Ａにおける右側の折曲部８０Ｂの左隣に位置している。
【００６７】
第１挟持部８１は、本体８０に一体化された固定ブロック８５と、固定ブロック８５に対して着脱可能な第１挟持プレート８６とを含んでいる。固定ブロック８５は、本体８０の前記側面から図５Ａの紙面手前側へ突出する直方体のブロックであり、上下方向に長手である。固定ブロック８５において、図５Ａの紙面手前側における端面は、上下方向に沿って平坦である。第１挟持プレート８６は、前述した直交方向に薄く、上下方向に長手の矩形をなす板状である。
【００６８】
第１挟持プレート８６を図５Ａの紙面手前側から固定ブロック８５に対向させた状態で、第１挟持プレート８６の四隅のそれぞれにねじ８７を通して締め付け、固定ブロック８５に組み付けると、第１挟持プレート８６が固定ブロック８５に対して圧接される。逆に、各ねじ８７を緩めると、固定ブロック８５と第１挟持プレート８６との間隔が広がり、最終的に各ねじ８７が外れると、固定ブロック８５から第１挟持プレート８６が離脱する。
【００６９】
第１挟持プレート８６において固定ブロック８５に対向する面の上下方向略中央には、所定方向Ｘにおける全域に亘って、非常に浅い溝８８が形成されている。第１挟持プレート８６において固定ブロック８５に対向する面とは反対側の面（図５Ａにおける紙面手前側の面）の上下方向略中央には、溝８８と同様の溝１０２が、所定方向Ｘにおける全域に亘って形成されている。溝８８および溝１０２のそれぞれには、搬送ベルト２２（図２参照）が嵌まり込むことができる。
【００７０】
第２挟持部８２は、本体８０において図５Ａの紙面手前側の側面に設けられている。第２挟持部８２は、スライドガイドレール８９と、スライドブロック９０と、第２挟持プレート９３（挟持部）とを含んでいる。
スライドガイドレール８９は、ねじ軸９１と、ガイドレール９２とを含んでいる。
ねじ軸９１は、所定方向Ｘに細長い円柱状であって、その外周面には、螺旋状のねじ部９１Ａが形成されている。ねじ軸９１は、第１挟持部８１よりも下方に位置している。ねじ軸９１は、本体８０の所定方向Ｘにおける両端部をなす１対の折曲部８０Ｂの下端部間に架設されている。つまり、ねじ軸９１は、所定方向Ｘにおいて本体８０の一端から他端へと延びている。この状態で、ねじ軸９１は、軸線回りに回転可能になっている。ねじ軸９１の所定方向Ｘにおける一端部（図５Ａにおける右端部）は、右側の折曲部８０Ｂよりも右外側へはみ出た位置にあって、この一端部には、ナット９１Ｂが一体的に設けられている。そのため、ナット９１Ｂを回転させると、ねじ軸９１がナット９１Ｂを伴って軸線周りに回転する。
【００７１】
ガイドレール９２は、本体８０の前記側面に一体的に設けられている。ガイドレール９２は、高さ方向（上下方向）において第１挟持部８１と同じ位置（ねじ軸９１よりも高い位置）にある。ガイドレール９２は、所定方向Ｘに沿って延びていて、図５Ａにおける左側の折曲部８０Ｂと第１挟持部８１の固定ブロック８５との間に架設されている。ガイドレール９２は、ねじ軸９１と同様に、所定方向Ｘにおいて本体８０の一端から他端へと延びている。ガイドレール９２を、所定方向Ｘに直交する平坦面で切断すると、ガイドレール９２の切断面は、図５Ａにおける紙面手前側が開放された略Ｃ状をなしている（図５Ｂも参照）。
【００７２】
スライドブロック９０は、前述した直交方向および所定方向Ｘのいずれから見てもＬ字状をなすブロックである。スライドブロック９０は、上ブロック９０Ａ（挟持部）と、下ブロック９０Ｂとに上下に分離可能である。上ブロック９０Ａと、下ブロック９０Ｂとは、所定方向Ｘにおいて間隔を隔てて設けられたねじ９４によって連結（一体化）されている。
【００７３】
上ブロック９０Ａは、ガイドレール９２に対して、図５Ａの紙面手前側から対向している。上ブロック９０Ａにおいてガイドレール９２に対向する面には、凹部９５が形成されている。凹部９５は、所定方向Ｘにおいて上ブロック９０Ａを貫通している。凹部９５の上下方向略中央には、被案内部９６が設けられている。被案内部９６は、所定方向Ｘに沿って長手のブロック状であり、その上下の端部は、三角形状に尖っている（図５Ｂ参照）。被案内部９６は、上ブロック９０Ａに対して一体化されており、凹部９５では、被案内部９６の上下にスペースがある。凹部９５には、ガイドレール９２において所定方向Ｘにおける一部が嵌まり込んでおり、この状態で、被案内部９６が、断面が略Ｃ状のガイドレール９２の内側に嵌まり込んで外れ不能に係合している（図５Ｂも参照）。
【００７４】
上ブロック９０Ａにおいて、凹部９５が形成された面とは反対側の面（図５Ａにおける紙面手前側の面）の上下方向略中央には、所定方向Ｘにおける全域に亘って、非常に浅い溝９７が形成されている。この溝９７には、搬送ベルト２２（図２参照）が嵌まり込むことができる。
下ブロック９０Ｂは、Ｌ字状のスライドブロック９０において横側へはみでた下端部をなしている。下ブロック９０Ｂには、ねじ孔９８が形成されている。ねじ孔９８は、下ブロック９０Ｂを所定方向Ｘに沿って貫通する丸穴であって、その周面（下ブロック９０Ｂにおいてねじ孔９８を区画する円周面）には、螺旋状のねじ部９８Ａ（図５Ｂ参照）が形成されている。ねじ孔９８には、ねじ軸９１が挿通されている。ねじ軸９１は、ねじ孔９８を貫通しており、ねじ軸９１のねじ部９１Ａがねじ孔９８のねじ部９８Ａに螺合している（図５Ｂ参照）。
【００７５】
このようにスライドガイドレール８９（ねじ軸９１およびガイドレール９２）に係合したスライドブロック９０は、所定方向Ｘに任意の位置へスライド移動可能であり、移動した位置で停止できる。具体的には、前述したようにナット９１Ｂを回転させてねじ軸９１を軸線周りに回転させると、スライドブロック９０が、ねじ軸９１上を所定方向Ｘにスライド移動する。ねじ軸９１の回転を止めると、そのときの位置でスライドブロック９０が停止する。そして、今までとは逆向きにねじ軸９１を回転させると、スライドブロック９０が、今までとは逆向きに、ねじ軸９１上をスライド移動する。スライドブロック９０がスライド移動する際、スライドブロック９０の被案内部９６がスライドガイドレール８９のガイドレール９２と係合しているので（図５Ｂも参照）、スライドブロック９０がねじ軸９１と共回りすることを防止できる。
【００７６】
スライドブロック９０と第１挟持部８１および第３挟持部８３との所定方向Ｘにおける間隔は、スライドブロック９０が第１挟持部８１から最も離れたときに６００ｍｍ〜７００ｍｍ程度であり、スライドブロック９０が第１挟持部８１に最も接近したときにほぼ０ｍｍであり、この範囲（約０ｍｍ〜６００ｍｍ）でスライドブロック９０は所定方向Ｘにスライドできる。
【００７７】
第２挟持プレート９３は、前述した直交方向において薄く、当該直交方向から見て矩形をなす板状である。第２挟持プレート９３を図５Ａの紙面手前側からスライドブロック９０（詳しくは、上ブロック９０Ａの溝９７）に対向させた状態で、第２挟持プレート９３の四隅のそれぞれにねじ９９を通して締め付け、スライドブロック９０に組み付ける。すると、第２挟持プレート９３が上ブロック９０Ａに対して圧接される。第２挟持プレート９３は、スライドブロック９０とともにスライド可能である。第２挟持プレート９３をスライドブロック９０の一部とみなしてもよい。一方、各ねじ９９を緩めると、上ブロック９０Ａと第２挟持プレート９３との間隔が広がり、最終的に各ねじ９９が外れると、上ブロック９０Ａから第２挟持プレート９３が離脱する。
【００７８】
第３挟持部８３は、前述した第１挟持プレート８６と、第３挟持プレート１００とを含んでいる。第３挟持プレート１００は、直交方向において薄く、直交方向から見て矩形をなす板状である。第３挟持プレート１００の上下方向寸法は、第１挟持プレート８６の上下のねじ８７の間隔よりも小さい。第３挟持プレート１００を図５Ａの紙面手前側から第１挟持プレート８６（詳しくは、第１挟持プレート８６の溝１０２）に対向させた状態で、第３挟持プレート１００の四隅のそれぞれにねじ１０１を通して締め付け、第１挟持プレート８６に組み付ける。すると、第３挟持プレート１００が第１挟持プレート８６に対して圧接される。一方、各ねじ１０１を緩めると、第１挟持プレート８６と第３挟持プレート１００との間隔が広がり、最終的に各ねじ１０１が外れると、第１挟持プレート８６から第３挟持プレート１００が離脱する。なお、第１挟持プレート８６に第３挟持プレート１００が取り付けられた状態で、前述したように各ねじ８７を外して固定ブロック８５から第１挟持プレート８６を離脱させると、第１挟持プレート８６は、第３挟持プレート１００を伴って固定ブロック８５から離脱する。
【００７９】
以上より、第１挟持部８１の第１挟持プレート８６と、第１挟持プレート８６に圧接される第３挟持プレート１００とを含む第３挟持部８３は、第１挟持部８１に対して（前記直交方向において）積層的に設けられていることがわかる。
次に、搬送ベルト設置治具７９を用いた搬送ベルト２２の設置方法について具体的に説明する。
【００８０】
図６Ａは、搬送レール２０の一部の斜視図である。図６Ｂは、搬送ベルト２２の設置方法を示すための紙幣搬送装置７の図解的な平面図であって、搬送ベルト２２を設置する前の状態を示している。
図６Ａおよび図６Ｂを参照して、まず、搬送ベルト２２が取り付けられていない状態の紙幣搬送装置７を遊技店内に位置決めして設置する。この際、搬送レール２０は、所定の長さ（所定方向Ｘにおける寸法）となるように、その場で切断され、さらに、切断後の搬送レール２０の長さに誤差があれば、前述したように調整ユニット２４によって搬送レール２０の長さが調整される。
【００８１】
搬送レール２０の長さ調整が済むと、搬送レール２０の表面における配置溝４７の近くに、ペン等で縦線等の印Ｐを１つだけ付ける。
図７〜図１０は、図６Ｂの次の工程を示す図解的な平面図である。
次いで、無端状になっていない途切れた状態にある搬送ベルト２２を、図７に示すように、１対の支持ローラ２１間に掛け回して搬送レール２０に沿わせ、搬送レール２０の周りを１周させる。このとき、搬送ベルト２２の一端側２２Ｃが所定方向Ｘにおいて印Ｐと重なるようにし、かつ、搬送ベルト２２の他端側２２Ｄが、所定方向Ｘにおけるある程度の範囲で一端側２２Ｃと重なる（オーバーラップする）ようにする。そして、他端側２２Ｄを引っ張る等して、搬送ベルト２２から弛みを無くす。この状態で、搬送ベルト２２をテープ等で搬送レール２０に位置決めして、搬送ベルト２２が弛まないようにする。このとき、搬送ベルト２２は、伸縮（テンション）の無い状態にある。
【００８２】
次いで、図８に示すように、搬送ベルト２２の一端側２２Ｃにおいて所定方向Ｘで印Ｐと一致する部分に縦線等の印Ａを付ける。
次いで、図９に示すように、他端側２２Ｄにおいて所定方向Ｘで印Ａおよび印Ｐに一致知る部分に縦線等の印Ｂを付ける。この時点での印Ａ〜印Ｂ間の搬送ベルト２２の長さを、自然長ということにする。自然長は、所定方向Ｘにおける搬送レール２０（換言すれば、遊技島Ａ）の全体長さの２倍とほぼ同じである。
【００８３】
そして、搬送ベルト２２の他端側２２Ｄにおいて印Ｂよりも先端側の部分Ｑを、若干（４００ｍｍ位）の余りＲができるように切り取る。なお、このとき、搬送ベルト２２の一端側２２Ｃにおいて印Ａよりも先端側の部分を全て切り取っておいてもよい。
次いで、搬送ベルト２２に所定のテンションがかかるまで搬送ベルト２２を伸張させる長さを決める。ここでは、搬送ベルト２２に所定（所望）のテンションをかけるために、自然長の約１．５％分だけ搬送ベルト２２を伸張させることにする。搬送ベルト２２を伸張させる長さ（伸張長さ）は、所定方向Ｘにおける搬送レール２０（遊技島Ａ）の全体長さを２倍した値に当該１．５％を乗じることで得られる。
【００８４】
このように伸張長さが決まると、図１０に示すように、搬送ベルト２２において、印Ｂから印Ａ側へ当該伸張長さ分だけ離れた位置に、縦線等の印Ｃを付ける。また、搬送ベルト２２において、印Ａ〜Ｃとは別の位置に、２つの印ＤおよびＥを、１ｍといった区切りの良い間隔を隔てて設ける。現時点では、印Ａと印Ｂとが一致していることで、搬送ベルト２２の長さは自然長になっているが、印Ｃが印Ａに一致するまで搬送ベルト２２の他端側２２Ｄを引っ張ると、前述した伸張長さだけ搬送ベルト２２が伸張したことになり、これに応じて、印Ｄ〜Ｅ間の距離が、１．５％程度広がる。搬送ベルト２２の自然長を２０ｍ程度とした場合、伸張長さは、３００ｍｍ〜４００ｍｍに設定される。
【００８５】
なお、印Ｂ〜Ｅを搬送ベルト２２に付ける順番は適宜前後しても構わない。
図１１Ａは、図１０の次の工程を示すための紙幣搬送装置７の斜視図であって、搬送ベルト設置治具７９が取り付けられた直後の状態を示している。図１１Ｂは、図１１Ａの状態における紙幣搬送装置７および搬送ベルト設置治具７９の要部断面図である。図１１Ｂは、図１１Ａの紙幣搬送装置７および搬送ベルト設置治具７９を、所定方向Ｘに対して直交する切断面で切断したときの断面を示している。
【００８６】
以上のように搬送ベルト２２に印Ａ〜Ｅを付け終わると、図１１Ａおよび図１１Ｂに示すように、今度は、搬送ベルト設置治具７９を紙幣搬送装置７の搬送レール２０に取り付ける。ここで、搬送レール２０の上側の管状フレーム４６の上端には、図１１Ｂにおける左右方向（前述した直交方向）の両端から上方ヘ張り出す１対のフランジ部４６Ａが一体的に設けられている。フランジ部４６Ａには、フランジ部４６Ａを直交方向に貫通する複数の貫通孔４６Ｂが形成されている。搬送ベルト設置治具７９の本体８０におけるフック部分８０Ａを、いずれかのフランジ部４６Ａに上から引っ掛け、各蝶ボルト８４を締め込んで蝶ボルト８４のねじ部８４Ａをフランジ部４６Ａの貫通孔４６Ｂに挿入する。これにより、搬送ベルト設置治具７９が搬送レール２０に取り付けられるとともに、本体８０が、蝶ボルト８４によって搬送レール２０に一時的に固定されるので（図１１Ａ参照）、搬送ベルト２２の設置中に搬送ベルト設置治具７９の位置が（特に所定方向Ｘにおいて）不意にずれることを防止できる。
【００８７】
図１１Ａを参照して、紙幣搬送装置７に取り付けられた搬送ベルト設置治具７９は、搬送レール２０において前記直交方向におけるいずれかの側面に配置されており、第１挟持部８１、第２挟持部８２（スライドブロック９０）および第３挟持部８３は、搬送レール２０の配置溝４７と高さ方向で同じ位置にある。
なお、搬送ベルト設置治具７９が紙幣搬送装置７に取り付けられた直後では、第２挟持部８２のスライドブロック９０は、第１挟持部８１から最も離れた位置にあるものとする。また、この時点では、固定ブロック８５と第１挟持プレート８６との間隔、スライドブロック９０（上ブロック９０Ａ）と第２挟持プレート９３との間隔、および、第１挟持プレート８６と第３挟持プレート１００との間隔は、いずれも、搬送ベルト２２が遊びを持って通れる程度に広がっているものとする。
【００８８】
図１２〜図１５Ａは、図１１Ａの次の工程を示すための紙幣搬送装置７および搬送ベルト設置治具７９の要部平断面図である。図１５Ｂは、図１５Ａの状態における紙幣搬送装置７および搬送ベルト設置治具７９の要部斜視図である。
そして、図１２を参照して、無端状に連結される前の搬送ベルト２２の一端側２２Ｃを、図１２における右側から第１挟持部８１の第１挟持プレート８６の溝８８（図５Ａ参照）に嵌め込み、その後、ねじ８７（図５Ａ参照）を締め込んで、第１挟持プレート８６と固定ブロック８５との間で一端側２２Ｃを挟み込む。このとき、第１挟持部８１は、一端側２２Ｃを挟持したことになり、搬送ベルト２２では、一端側２２Ｃの位置が固定される。なお、溝８８は、搬送ベルト２２が全部嵌まり込まない程度に浅くなっているので、第１挟持部８１に挟持されたはずの一端側２２Ｃが溝８８から不意に抜けてしまうことはない（前述した溝９７および１０２においても同様）。
【００８９】
また、このとき、一端側２２Ｃに付された印Ａと、一端側２２Ｃにおける搬送ベルト２２の先端とは、所定方向Ｘにおいてスライドブロック９０と第１挟持部８１との間に位置している。搬送ベルト２２において第１挟持部８１による十分な掴み代を確保するために、第１挟持部８１からの印Ａまでの一端側２２Ｃのはみ出し量は、２５０ｍｍ程度あることが好ましい。
【００９０】
次いで、無端状に連結される前の搬送ベルト２２の他端側２２Ｄを、図１２における左側から第２挟持部８２のスライドブロック９０の溝９７（図５Ａ参照）に嵌め込み、その後、ねじ９９（図５Ａ参照）を締め込んで、図１３に示すように第２挟持プレート９３とスライドブロック９０との間で他端側２２Ｄを挟み込む。このとき、第２挟持部８２は、他端側２２Ｄを挟持したことになる。また、他端側２２Ｄに付された印Ｂと、他端側２２Ｄにおける搬送ベルト２２の先端とは、所定方向Ｘにおいてスライドブロック９０と第１挟持部８１との間に位置している。この状態では、搬送ベルト２２の長さが自然長になっているので、所定方向Ｘにおいて、一端側２２Ｃの印Ａと他端側２２Ｄの印Ｂとがほぼ一致している。
【００９１】
次いで、電動ドライバー等を用いてねじ軸９１のナット９１Ｂ（図５Ａ参照）を回転させることで、図１４Ａに示すように、第２挟持部８２のスライドブロック９０（第２挟持プレート９３も含む）を第１挟持部８１および第３挟持部８３へ接近するように、太線矢印の方向へスライドさせる。
これにより、スライドブロック９０がスライドした分だけ搬送ベルト２２が伸張する。このとき、他端側２２Ｄにおける搬送ベルト２２の先端（前述した余りＲ）が、第３挟持部８３の第１挟持プレート８６と第３挟持プレート１００との間に入り込むようにする。ここで、第２挟持部８２では、スライドガイドレール８９に係合されたスライドブロック９０を、所定方向Ｘにおける任意の位置へスライド移動させて所定の位置で停止させるといった簡単な作業によって、スライドブロック９０の挟持部（上ブロック９０Ａおよび第２挟持プレート９３）に挟持された搬送ベルト２２を伸張させることができる（図５Ａ参照）。
【００９２】
スライドブロック９０がスライドを終えた状態で、他端側２２Ｄにおける搬送ベルト２２の余りＲが第１挟持プレート８６と第３挟持プレート１００との間に入り込むと、ねじ１０１（図５Ａ参照）を締め込む。すると、この余りＲ（他端側２２Ｄ）は、第１挟持プレート８６の溝１０２（図５Ａ参照）に嵌まり込みつつ、図１４Ｂに示すように、第１挟持プレート８６および第３挟持プレート１００（つまり、第３挟持部８３）に挟持される。余りＲが挟持された搬送ベルト２２は、伸び代部分が第３挟持部８３に仮留めされた状態になっている。また、このとき、搬送ベルト２２では、第３挟持部８３に挟持された他端側２２Ｄが、第１挟持部８１で挟持された一端側２２Ｃに対して搬送ベルト２２の長さ方向（所定方向Ｘと同じ）に重なっている。
【００９３】
図１４Ｂの状態では、他端側２２Ｄの印Ｃが一端側２２Ｃの印Ａに一致していない。つまり、所望の伸張長さまで搬送ベルト２２が伸張しきっていない。
そこで、図１４Ａを参照して、まず、ねじ９９（図５Ａ参照）を緩めて第２挟持プレート９３とスライドブロック９０との間を広げて、第２挟持部８２による他端側２２Ｄの挟持を解除する。そして、この状態のスライドブロック９０を、図１４Ｂに示すように、第３挟持部８３から離間する方向（図１４Ｂでは左側であり、太線矢印参照）へ移動させる。スライドブロック９０の移動中、第２挟持プレート９３とスライドブロック９０との間には、搬送ベルト２２が常に位置している。つまり、第２挟持プレート９３およびスライドブロック９０は、これらの間に搬送ベルト２２が位置した状態で、第３挟持部８３から離間する方向へ移動する。
【００９４】
図１４Ｂでは、第３挟持部８３から離間する方向へのスライドブロック９０（第２挟持部８２）の移動が完了した状態で、スライドブロック９０と第３挟持部８３との間には、他端側２２Ｄにおける印Ｃが位置している。
次いで、図１４Ｂの状態で、ねじ９９（図５Ａ参照）を締め込んで、第２挟持プレート９３とスライドブロック９０との間で他端側２２Ｄ（第３挟持部８３から離間した位置に張設されている搬送ベルト２２）を挟み込んで、当該位置における搬送ベルト２２を第２挟持部８２に挟持させる。その後、図１４Ｃに示すように、第３挟持部８３へ接近するようにスライドブロック９０をスライド移動させる。このとき、第３挟持部８３は、他端側２２Ｄの余りＲを挟持しているので、スライドブロック９０のスライドに伴って、他端側２２Ｄがスライドブロック９０と第３挟持部８３との間で弛む。
【００９５】
図１４Ｃでは、搬送ベルト２２において、他端側２２Ｄの印Ｃと、一端側２２Ｃの印Ａとが一致している。そのため、所望の伸張長さまで搬送ベルト２２が伸張しきった状態（搬送ベルト２２に所定のテンションがかかった状態）にある。このとき、印Ｃは、後述する搬送ベルト２２の切断作業や接合作業の都合上、スライドブロック９０から３００ｍｍ程度離れていることが好ましい。
【００９６】
この実施形態では、第３挟持部８３へ接近するようにスライドブロック９０をスライド移動させる動作を２回行った時点で、所望の伸張長さまで搬送ベルト２２が伸張しきって、他端側２２Ｄの印Ｃと一端側２２Ｃの印Ａとが一致した。しかし、この動作を２回行っても搬送ベルト２２の伸張が不足しているのであれば、他端側２２Ｄを第２挟持部８２で挟持→スライドブロック９０を第３挟持部８３までスライド→他端側２２Ｄを第３挟持部８３で挟持→第２挟持部８２による他端側２２Ｄの挟持を解除してスライドブロック９０を元の位置までスライドさせるという、一連の動作を、所望の伸張長さまで搬送ベルト２２が伸張しきるまで繰り返すことになる。また、第３挟持部８３へ接近するようにスライドブロック９０をスライド移動させる動作を１回行っただけで、所望の伸張長さまで搬送ベルト２２が伸張しきってしまえば、それ以降、スライドブロック９０をスライド移動させる動作は不要である。
【００９７】
搬送ベルト２２が所望の伸張長さまで伸張しきった状態になると、搬送ベルト２２の他端側２２Ｄにおいて印Ｃよりも先端側（余りＲ側）を、図１５Ａに示すように全て切り取る。同様に、搬送ベルト２２の一端側２２Ｃにおいて印Ａよりも先端側を全て切り取る。このとき、図１５Ｂに示すように、印Ａにおける搬送ベルト２２の切断箇所（搬送ベルト２２の一端）、および、印Ｃにおける搬送ベルト２２の切断箇所（搬送ベルト２２の他端）は、たとえば、ぎざぎざになっている。
【００９８】
次いで、搬送ベルト２２の一端のぎざぎざと他端のぎざぎざとを噛み合わせてから、これらの一端および他端をクリップ等で仮留めする。その後、これらの一端および他端に圧力および熱処理を加えて一端および他端を溶かす。その後、搬送ベルト２２の一端と他端とが冷却によって接合され、搬送ベルト２２が無端状になる。つまり、搬送ベルト２２の一端と他端とは、溶着される。その後、第１挟持部８１および第２挟持部８２による搬送ベルト２２の挟持を解除して、第１挟持プレート８６および第３挟持プレート１００を固定ブロック８５から取り外すとともに、第２挟持プレート９３をスライドブロック９０から取り外すと、搬送ベルト設置治具７９から搬送ベルト２２が取り外される。
【００９９】
最後に、蝶ボルト８４を緩めて搬送レール２０のフランジ部４６Ａの貫通孔４６Ｂから外し（図１１Ｂ参照）、搬送ベルト設置治具７９の本体８０におけるフック部分８０Ａをフランジ部４６Ａから外すと、紙幣搬送装置７から搬送ベルト設置治具７９が取り外される。これにより、搬送ベルト２２の設置が完了する。ここで、図１５Ａを参照して、前述した印Ｄ〜Ｅ間における搬送ベルト２２の長さ（当初は、１ｍ）が、目標の１．５％分伸びているか（１．０１５ｍになっているか）を確認する。若干の誤差があれば、調整ユニット２４（図２参照）によって搬送レール２０の長さ（換言すれば、搬送ベルト２２のテンション）を微調整することで、当該誤差をなくす。
【０１００】
以上のように、搬送ベルト２２において所定のテンションがかかるまでの伸び代が大きくても、この搬送ベルト設置治具７９を用いれば、前述した一連の動作を繰り返すことによって、容易かつ円滑に、搬送ベルト２２に所定のテンションをかけるとともに、搬送ベルト２２の一端と他端とを接合することで搬送ベルト２２を無端状に連結して紙幣搬送装置７に組み込むことができる。よって、搬送ベルト２２を手際よく設置することが可能になる。
【０１０１】
また、搬送ベルト２２の設置が完了すると、搬送ベルト設置治具７９が紙幣搬送装置７から取り外されるので、紙幣搬送装置７では、搬送ベルト設置治具７９を常に配置しておくためのスペースを省略できる。
この発明は、以上の実施形態の内容に限定されるものではなく、請求項記載の範囲内において種々の変更が可能である。
【０１０２】
たとえば、スライドブロック９０は、ねじ軸９１のナット９１Ｂを回転させることでスライドしているが、ナット９１Ｂの代わりに、ねじ軸９１のねじ部９１Ａに噛合するはす歯歯車（図示せず）を設けてウォームギヤ構造を構成し、このはす歯歯車を回転させることでねじ軸９１を回転させて、スライドブロック９０をスライドさせてもよい。
また、この実施形態では、搬送ベルト２２を設置する際に、搬送ベルト設置治具７９を１台だけ用いたが、複数台の搬送ベルト設置治具７９を所定方向に直列配置して用いてもよい。この場合、並び方向の両端に位置する２台の搬送ベルト設置治具７９のうち、一方の搬送ベルト設置治具７９の第１挟持部８１に搬送ベルト２２の一端側２２Ｃを挟持させ、他方の搬送ベルト設置治具７９の第２挟持部８２に搬送ベルト２２の一端側２２Ｃを挟持させる。そして、当該他方の搬送ベルト設置治具７９において、第２挟持部８２を第１挟持部８１側へスライドさせた後、この第２挟持部８２に挟持された一端側２２Ｃを、当該他方の搬送ベルト設置治具７９に隣接する搬送ベルト設置治具７９の第２挟持部８２に挟持させる。そして、この隣接する搬送ベルト設置治具７９において、第２挟持部８２を第１挟持部８１側へスライドさせる。
【０１０３】
このように、搬送ベルト２２の一端側２２Ｃを、隣り合う搬送ベルト設置治具７９の第２挟持部８２に順に受け渡していくことで、搬送ベルト２２が、所定のテンションがかかるまで伸張する。所定のテンションがかかるまでの搬送ベルト２２の伸張長さが非常に長い場合において、１つの搬送ベルト設置治具７９で第２挟持部８２を何度もスライド（往復）させずに済み、比較的短時間で、搬送ベルト２２に所定のテンションをかけることができる。
【符号の説明】
【０１０４】
７      紙幣搬送装置
２０    搬送レール
２２    搬送ベルト
２２Ｃ  一端側
２２Ｄ  他端側
７９    搬送ベルト設置治具
８０    本体
８１    第１挟持部
８２    第２挟持部
８３    第３挟持部
８４    蝶ボルト
８９    スライドガイドレール
９０    スライドブロック
９０Ａ  上ブロック
９１    ねじ軸
９２    ガイドレール
９３    第２挟持プレート
９６    被案内部
９８    ねじ孔
Ｘ      所定方向
【図１】
2012252598.tif 000003
【図２】
2012252598.tif 000004
【図３】
2012252598.tif 000005
【図４Ａ】
2012252598.tif 000006
【図４Ｂ】
2012252598.tif 000007
【図５Ａ】
2012252598.tif 000008
【図５Ｂ】
2012252598.tif 000009
【図６Ａ】
2012252598.tif 000010
【図６Ｂ】
2012252598.tif 000011
【図７】
2012252598.tif 000012
【図８】
2012252598.tif 000013
【図９】
2012252598.tif 000014
【図１０】
2012252598.tif 000015
【図１１Ａ】
2012252598.tif 000016
【図１１Ｂ】
2012252598.tif 000017
【図１２】
2012252598.tif 000018
【図１３】
2012252598.tif 000019
【図１４Ａ】
2012252598.tif 000020
【図１４Ｂ】
2012252598.tif 000021
【図１４Ｃ】
2012252598.tif 000022
【図１５Ａ】
2012252598.tif 000023
【図１５Ｂ】
2012252598.tif 000024